(57)【要約】【課題】  移動体の運転者の眠気による注意力の低下を適切に防止するシステムを提供する。【解決手段】  噴霧装置は、カフェイン含有水溶液を収容した水溶液収容部と、カフェイン含有水溶液を噴霧する噴霧動作部と、を有し、情報提供サーバは、地図情報を記憶した地図情報記憶部と、注意深い運転が要求される要注意領域を示す要注意領域情報を記憶した要注意領域記憶部と、を有し、情報処理装置は、前記情報提供サーバへとリクエストを行うことにより、前記情報提供サーバから前記地図情報と前記要注意領域情報とを取得し、前記情報提供サーバから取得した前記地図情報及び前記要注意領域情報と、現在位置情報とに基づいて、要注意領域への所要時間を算出し、所要時間が基準時間より小さいと判定された場合には、前記噴霧装置へと噴霧指令を行い、前記噴霧装置は、前記噴霧指令に基づいて、カフェイン含有水溶液を噴霧する、安全運転支援システムが提供される。【選択図】  図１
2018005348.tif 000002
【特許請求の範囲】
【請求項１】
移動体の運転席近傍に安定的に配置可能な形状を有し、前記移動体内において噴霧を行う噴霧装置と、
前記噴霧装置と近接通信可能に構成され、ＧＰＳを利用して現在位置情報を取得可能な携帯型の情報処理装置と、
前記情報処理装置へとインターネットを介して情報提供を行う情報提供サーバと、を含む安全運転支援システムであって、
前記噴霧装置は、
カフェイン含有水溶液を収容した水溶液収容部と、
前記水溶液収容部に収容されたカフェイン含有水溶液を噴霧する噴霧動作部と、を有し、
近接通信が確立した前記情報処理装置からの噴霧指令に基づいて、前記噴霧動作部を作動させ、前記移動体内に噴霧を行うよう構成され、
前記情報提供サーバは、
地図情報を記憶した地図情報記憶部と、
注意深い運転が要求される要注意領域を示す要注意領域情報を記憶した要注意領域記憶部と、を有し、
前記情報処理装置からのリクエストに応じて、前記情報処理装置へと、前記地図情報と前記要注意領域情報とを各々送信するよう構成され、
前記情報処理装置は、前記情報提供サーバへとリクエストを行うことにより、前記情報提供サーバから前記地図情報と前記要注意領域情報とを取得し、前記情報提供サーバから取得した前記地図情報及び前記要注意領域情報と、前記現在位置情報とに基づいて、前記要注意領域への所要時間を算出し、前記所要時間が基準時間より小さいと判定された場合には、前記噴霧装置へと噴霧指令を行い、
前記噴霧装置は、前記噴霧指令に基づいて、前記噴霧動作部を作動させ、前記カフェイン含有水溶液を前記移動体内に噴霧する、安全運転支援システム。
【請求項２】
前記安全運転支援システムは、前記情報処理装置と近接通信可能であって、かつ表示部を有する腕時計型のウェアラブル端末をさらに含み、
前記情報処理装置において前記噴霧装置へと噴霧指令が行われると、前記ウェアラブル端末の前記表示部には、噴霧が行われたことを示す表示がなされる、請求項１に記載の安全運転支援システム。
【請求項３】
前記噴霧装置と前記情報処理装置との間の近接通信は、初期設定としてペアリング処理を要し、一旦前記ペアリング処理がなされた後は、前記噴霧装置と前記情報処理装置とが通信可能距離内にある場合に自動的に近接通信を確立するよう構成され、
前記噴霧装置は、前記自動的な近接通信の確立後、直ちに噴霧を行う、請求項２に記載の安全運転支援システム。
【請求項４】
前記情報処理装置は、さらに、ユーザ又は同乗者の属性情報を含む設定情報を取得するよう構成され、
取得した前記設定情報に応じて、前記噴霧装置による前記カフェイン含有水溶液の噴霧を制御する、請求項３に記載の安全運転支援システム。
【請求項５】
前記情報提供サーバは、
前記情報処理装置から現在位置情報と目的地情報とが与えられた場合に、前記現在位置情報に係る現在位置と前記目的地情報に係る目的地との間の最短距離経路又は最短時間経路を探索し、前記最短距離経路又は前記最短時間経路に関する経路情報を前記情報処理装置へと提供する経路探索部をさらに含み、
前記情報処理装置に対して、前記最短距離経路又は前記最短時間経路上の要注意領域情報を提供し、
前記情報処理装置は、前記情報提供サーバから取得した前記地図情報及び前記経路情報と、前記現在位置情報とに基づいて、ナビゲーション機能を提供すると共に、前記情報提供サーバから取得した前記地図情報及び前記経路情報と、前記最短距離経路又は前記最短時間経路上の前記要注意領域情報と、前記現在位置情報とに基づいて、前記最短距離経路又は前記最短時間経路上の要注意領域への所要時間を算出する、請求項４に記載の安全運転支援システム。
【請求項６】
前記設定情報には、さらに、カフェイン含有水溶液の濃度情報が含まれ、前記カフェイン含有水溶液の濃度が大きい程、前記噴霧装置による前記カフェイン含有水溶液の噴霧時間が短くなる、請求項５に記載の安全運転支援システム。
【請求項７】
前記情報処理装置は、前記噴霧装置へと噴霧指令を行う度に、前記カフェイン含有水溶液の噴霧量を積算し、前記積算結果と前記濃度情報とに基づいて計算された、カフェイン含有水溶液中のカフェイン成分の総噴霧量が、前記設定情報に応じた所定の値以上となった場合に、前記噴霧装置による前記カフェイン含有水溶液の噴霧を行わないようにする、請求項６に記載の安全運転支援システム。
【請求項８】
前記カフェイン含有水溶液は無臭である、請求項７に記載の安全運転支援システム。
【発明の詳細な説明】
【技術分野】
【０００１】
この発明は、自動車等の移動体の安全運転支援を行うシステムに関する。
【背景技術】
【０００２】
自動車等（例えば、列車、飛行機、船舶等）の移動体の運転者は、その運転中に、しばしば眠気に襲われることがある。運転中の眠気は、運転者の注意力を著しく低下させ、様々な事故の原因となる。このような運転者の眠気による注意力の低下を防止するため、従来より様々な手法が提案されており、特に、運転動作へと支障を来たすおそれが少ないことから、眠気覚まし作用を有する気体又は液体を運転者に経鼻吸入させる手法が着目されていた。
【０００３】
眠気覚まし作用を有する気体又は液体を運転者に経鼻吸入させる従来の手法として、芳香成分と直接的な眠気覚まし作用を有するカフェインとを含む眠気覚まし用香料を自動車内等に配置して自然蒸散させ、車内に眠気を防止する又は眠気を覚ます環境を提供する手法が知られていた（特許文献１）。
【先行技術文献】
【特許文献】
【０００４】
【特許文献１】特開平６−９３２８６号公報
【発明の概要】
【発明が解決しようとする課題】
【０００５】
しかしながら、カフェインを含む香料を自然蒸散させる場合、当該蒸散が何らの制御もされないことから、常に自動車内において香料が蒸散し続けることとなり、その結果、自動車を停車させて車内で仮眠をとりたい場合など、眠気防止又は眠気覚まし作用が不要な場合にも車内に香料が充満してしまうという不都合があった。また、香料の蒸散が不要な場合であっても常に蒸散が行われてしまうため、香料を浪費してしまうおそれもあった。
【０００６】
本発明は、上述の課題を解決するためになされたものであり、その目的は、自動車等の移動体の運転者の眠気による注意力の低下を適切に防止する手法を提供することにある。
【０００７】
この発明のさらに他の目的並びに作用効果については、明細書の以下の記述を参照することにより、当業者によれば容易に理解されるであろう。
【課題を解決するための手段】
【０００８】
上述の技術的課題は、以下の構成により解決される。
【０００９】
すなわち、本発明に係る安全運転支援システムは、移動体の運転席近傍に安定的に配置可能な形状を有し、前記移動体内において噴霧を行う噴霧装置と、前記噴霧装置と近接通信可能に構成され、ＧＰＳを利用して現在位置情報を取得可能な携帯型の情報処理装置と、前記情報処理装置へとインターネットを介して情報提供を行う情報提供サーバと、を含む安全運転支援システムであって、前記噴霧装置は、カフェイン含有水溶液を収容した水溶液収容部と、前記水溶液収容部に収容されたカフェイン含有水溶液を噴霧する噴霧動作部と、を有し、近接通信が確立した前記情報処理装置からの噴霧指令に基づいて、前記噴霧動作部を作動させ、前記移動体内に噴霧を行うよう構成され、前記情報提供サーバは、地図情報を記憶した地図情報記憶部と、注意深い運転が要求される要注意領域を示す要注意領域情報を記憶した要注意領域記憶部と、を有し、前記情報処理装置からのリクエストに応じて、前記情報処理装置へと、前記地図情報と前記要注意領域情報とを各々送信するよう構成され、前記情報処理装置は、前記情報提供サーバへとリクエストを行うことにより、前記情報提供サーバから前記地図情報と前記要注意領域情報とを取得し、前記情報提供サーバから取得した前記地図情報及び前記要注意領域情報と、前記現在位置情報とに基づいて、前記要注意領域への所要時間を算出し、前記所要時間が基準時間より小さいと判定された場合には、前記噴霧装置へと噴霧指令を行い、前記噴霧装置は、前記噴霧指令に基づいて、前記噴霧動作部を作動させ、前記カフェイン含有水溶液を前記移動体内に噴霧する、ものである。
【００１０】
このような構成によれば、注意深い運転が要求される要注意領域において、確実に運転者の注意力を高めること又は注意力の低下を抑制することができ、これにより、安全運転支援を実現することができる。
【００１１】
また、前記安全運転支援システムは、前記情報処理装置と近接通信可能であって、かつ表示部を有する腕時計型のウェアラブル端末をさらに含み、前記情報処理装置において前記噴霧装置へと噴霧指令が行われると、前記ウェアラブル端末の前記表示部には、噴霧が行われたことを示す表示がなされてもよい。
【００１２】
このような構成によれば、腕時計型のウェアラブル端末に噴霧の有無が表示されるので、前方から殆ど視線を逸らすことなく噴霧が行われたか否かを容易に確認することができる。
【００１３】
さらに、前記噴霧装置と前記情報処理装置との間の近接通信は、初期設定としてペアリング処理を要し、一旦前記ペアリング処理がなされた後は、前記噴霧装置と前記情報処理装置とが通信可能距離内にある場合に自動的に近接通信を確立するよう構成され、前記噴霧装置は、前記自動的な近接通信の確立後、直ちに噴霧を行うものであってもよい。
【００１４】
このような構成によれば、ユーザは、自動車に乗り込んだ直後にカフェイン含有水溶液を吸入することができるので、運転開始後すぐに眠気防止又は眠気覚まし効果を得ることができ、安全運転を行うことができる。
【００１５】
加えて、前記情報処理装置は、さらに、ユーザ又は同乗者の属性情報を含む設定情報を取得するよう構成され、取得した前記設定情報に応じて、前記噴霧装置による前記カフェイン含有水溶液の噴霧を制御する、ものであってもよい。
【００１６】
このような構成によれば、カフェイン摂取が好ましくない属性を有するユーザ又は同乗者に対しては、カフェイン含有水溶液の噴霧を行わないので、ユーザ又は同乗者に優しい安全運転支援システムを提供することができる。
【００１７】
また、前記情報提供サーバは、前記情報処理装置から現在位置情報と目的地情報とが与えられた場合に、前記現在位置情報に係る現在位置と前記目的地情報に係る目的地との間の最短距離経路又は最短時間経路を探索し、前記最短距離経路又は前記最短時間経路に関する経路情報を前記情報処理装置へと提供する経路探索部をさらに含み、前記情報処理装置に対して、前記最短距離経路又は前記最短時間経路上の要注意領域情報を提供し、前記情報処理装置は、前記情報提供サーバから取得した前記地図情報及び前記経路情報と、前記現在位置情報とに基づいて、ナビゲーション機能を提供すると共に、前記情報提供サーバから取得した前記地図情報及び前記経路情報と、前記最短距離経路又は前記最短時間経路上の前記要注意領域情報と、前記現在位置情報とに基づいて、前記最短距離経路又は前記最短時間経路上の要注意領域への所要時間を算出する、ものであってもよい。
【００１８】
このような構成によれば、ユーザは、目的地までの経路上にある要注意運転領域に到達する基準時間前に眠気防止又は眠気覚まし効果を有するカフェイン含有水溶液２０７を吸入することができるので、安全運転を行うことができる。また、経路が定まっていることから無駄な噴霧がなく、カフェイン含有水溶液の消費量を節約することができる。
【００１９】
さらに、前記設定情報には、さらに、カフェイン含有水溶液の濃度情報が含まれ、前記カフェイン含有水溶液の濃度が大きい程、前記噴霧装置による前記カフェイン含有水溶液の噴霧時間が短くなる、ものであってもよい。
【００２０】
このような構成によれば、眠気防止又は眠気覚まし効果のより高い高濃度の噴霧が行われる場合には、必要以上に噴霧を行わないので、カフェイン含有水溶液の消費量を節約することができる。
【００２１】
加えて、前記情報処理装置は、前記噴霧装置へと噴霧指令を行う度に、前記カフェイン含有水溶液の噴霧量を積算し、前記積算結果と前記濃度情報とに基づいて計算された、カフェイン含有水溶液中のカフェイン成分の総噴霧量が、前記設定情報に応じた所定の値以上となった場合に、前記噴霧装置による前記カフェイン含有水溶液の噴霧を行わないようにする、ものであってもよい。
【００２２】
このような構成によれば、噴霧装置による噴霧により、必要に応じて眠気防止又は眠気覚ましを行いつつも、カフェインの過剰摂取を防止することができる。
【００２３】
また、前記カフェイン含有水溶液は無臭であってもよい。
【００２４】
このような構成によれば、カフェイン含有水溶液は無臭であるので、個人の好みによることなく眠気防止又は眠気覚まし効果を有する液体の噴霧を行うことができる。
【発明の効果】
【００２５】
本発明によれば、注意深い運転が要求される要注意領域において、確実に運転者の注意力を高めること又は注意力の低下を抑制することができ、これにより、安全運転支援を実現することができる。
【図面の簡単な説明】
【００２６】
【図１】図１は、噴霧装置の説明図である。
【図２】図２は、システムの要部構成図である。
【図３】図３は、初期設定時の画面表示例について示す説明図である。
【図４】図４は、乗車時の噴霧装置の動作に関するフローチャートである。
【図５】図５は、走行時のシステムの動作に関するフローチャートである。
【図６】図６は、走行時の画面表示例について示す説明図である。
【図７】図７は、噴霧時の画面表示例について示す説明図である。
【図８】図８は、噴霧処理のバリエーションに関する説明図である。
【発明を実施するための形態】
【００２７】
以下に、本発明に係る安全運転支援システムの好適な実施の一形態を、添付の図面を参照しながら詳細に説明する。
【００２８】
＜１．第１の実施形態＞
＜１．１  ハードウエア構成＞
＜１．１．１  噴霧装置の構成＞
図１（ａ）は、噴霧装置２０の自動車内への配置例について示している。同図において、運転席１１と助手席１２との間には、平断面円形状の２つのドリンクホルダ部１３ａ及び１３ｂが設けられ、円筒型の噴霧装置２０は、走行中の車内でも安定的に載置することができるよう、そのうちの１つのドリンクホルダ部１３ａに挿入されている。噴霧装置２０は、シガーソケット用のプラグ１４と電源供給線２１０を介して接続され、動作電源を確保している。
【００２９】
なお、本実施形態においては、プラグ１４と電源供給線２１０とを直接接続する構成としているものの、接続態様はこのような構成に限定されるものではなく、例えば、プラグ１４と電源供給線２１０との間に、ＵＳＢ等の接続インタフェースを設け、当該インタフェースを介して接続する構成としてもよい。また、前記噴霧装置２０に、電源装置を内蔵させてバッテリー駆動とし、電源供給線２１０を全く設けない構成としてもよい。
【００３０】
さらに、本実施形態においては、噴霧装置２０は、ドリンクホルダ部１３ａに挿入するものとした。しかしながら、本発明においては、噴霧装置２０が自動車１０の車内に安定して配置され、かつ、噴霧装置２０による噴霧が運転者に確実に吸入されるものであればよく、上記構成に限定されない。従って、例えば、自動車１０のエアコンディショナの送風口付近（例えば、エアコンディショナのルーバ）へと取り付ける形態としてもよい。
【００３１】
図１（ｂ）及び同図（ｃ）は、それぞれ噴霧装置２０の外観斜視図と、噴霧装置２０の分解図が示されている。これらの図を参照しつつ、噴霧装置２０のハードウエア構成について、さらに詳細に説明する。
【００３２】
図１（ｂ）から明らかな通り、噴霧装置２０は、全体として略円筒状の外観を有しており、中央よりやや下方の領域にやや小径のくびれ状円筒領域２０９を有している。噴霧装置２０の上端の縁には、電源供給線２１０が通る程度の大きさの切り欠き部２０８が設けられ、当該切り欠き部２０８を介して電源供給線２１０が配置されている。噴霧装置２０の上部には、噴霧動作部格納筐体２０２が設けられ、後述するように、噴霧動作部格納筐体２０２の中央部に配置された多孔性のピエゾ素子２０３から内蔵する液体の噴霧が行われる。なお、この噴霧が行われている間、噴霧が行われていることを明示するよう動作ランプ２０４が青色に点灯する。
【００３３】
図１（ｃ）から明らかな通り、噴霧装置２０は、中空の円筒部２０１の内部に、上方から噴霧動作部格納筐体２０２と円筒状の液体収容部２０５とを組み立てて一体とした集成体を挿入することにより組み上げられる。噴霧動作部格納筐体２０２と液体収容部２０５とは、着脱自在であり、液体収容部２０５を取り外すことにより、ユーザは液体収容部２０５内に液体を任意に充填することができる。
【００３４】
本実施形態において、液体収容部２０５には、カフェインを含む無臭の水溶液であるカフェイン含有水溶液２０７が収容されており、液体収容部２０５の中心部には、カフェイン含有水溶液２０７を吸収し保持するポリエステル製の水分保持体２０６が配置されている。このとき、水分保持体２０６は噴霧動作部格納筐体２０２の内部にてピエゾ素子２０３と直接当接している。従って、ピエゾ素子２０３が動作して振動することにより、当接部において水分保持体２０６に保持されたカフェイン含有水溶液２０７が、噴霧装置２０の上方から噴霧される。
【００３５】
このような構成によれば、カフェイン含有水溶液２０７は無臭であるので、個人の好みによることなく眠気防止又は眠気覚まし効果を有する液体の噴霧を行うことができる。
【００３６】
＜１．１．２  システムの構成＞
続いて、図２を参照しつつ、上述の噴霧装置２０を含む安全運転支援システム１００の要部構成について説明する。安全運転支援システム１００は、噴霧装置２０と情報処理装置４０、情報処理装置４０と情報提供サーバ６０とがそれぞれ互い通信を行うことにより構成される。
【００３７】
噴霧装置２０は、ＣＰＵ等の制御部２１、メモリ等の記憶部２２、Ｂｌｕｅｔｏｏｔｈ（登録商標）等を用いて無線短距離通信を行う短距離通信部２３、及びピエゾ素子２０３を動作させる噴霧動作部２４を有し、それらがバスを介して接続されている。噴霧装置２０は、短距離通信部２３を介して、情報処理装置４０と接続され、情報処理装置４０からの指令に基づいて動作を行う。
【００３８】
情報処理装置４０は、各種アプリケーションプログラム等を実行可能なＣＰＵ等の制御部４１、アプリケーションプログラムや設定情報等を記憶可能なメモリ等の記憶部４２、Ｂｌｕｅｔｏｏｔｈ（登録商標）等の近距離通信手段を用いて噴霧装置２０の短距離通信部２３と短距離通信を行う短距離通信部４３、ＧＰＳ（Ｇｌｏｂａｌ  Ｐｏｓｉｔｉｏｎｉｎｇ  Ｓｙｓｔｅｍ）を用いて情報処理装置４０の現在位置を取得可能なＧＰＳユニット４４、及びインターネットへと無線接続を行うための無線通信部４５を有し、それらがバスを介して接続されている。情報処理装置４０は、例えば、スマートフォン、タブレット端末、ウェアラブル端末等の持ち運び可能な携帯型の情報処理装置である。情報処理装置４０の記憶部４２には、噴霧装置２０の噴霧動作を制御するアプリケーションプログラムが記憶されており、当該アプリケーションプログラムが制御部２１により実行されることにより、後述の種々の動作が実現される。なお、情報処理装置４０は、インターネットを通じて情報提供サーバ６０と接続される。
【００３９】
情報提供サーバ６０は、ＣＰＵ等の制御部６１、メモリやストレージ等の記憶部６２、及びインターネットへと接続を行うための通信部６３を有し、それらがバスを介して接続されている。記憶部６２は、さらに、地図情報を収容した地図情報記憶部６２１と、注意深い運転が必要な領域を示す要注意運転領域情報を収容した要注意運転領域情報記憶部６２２とを含む。なお、記憶部６２は、情報提供サーバ６０の外に独立して配置されていてもよい。
【００４０】
ここで、上述の注意深い運転が必要な領域とは、例えば、過去に事故が多発しておりより注意深い運転が必要とされる事故多発地点や、眠気に襲われやすく他の車との接触が生じやすい渋滞地点等のより注意深い運転が必要とされる地点又は領域を意味している。
【００４１】
なお、図２に示した構成は要部構成であるので、同図に示された構成の他に、例えば、電源装置等を含み得ることに留意されたい。
【００４２】
＜１．２  動作＞
次に、情報処理装置４０を用いて、噴霧装置２０の噴霧動作を制御するアプリケーションプログラムを実行した場合の噴霧装置２０、情報処理装置４０、情報提供サーバ６０及びそれらを含む安全運転支援システム１００の動作について説明する。
【００４３】
＜１．２．１  初期設定動作＞
噴霧装置２０を制御するアプリケーションプログラムを実行する前に、ユーザは、まず、情報処理装置４０と噴霧装置２０とを、Ｂｌｕｅｔｏｏｔｈ（登録商標）等によりペアリングする。このペアリングを行うことで、噴霧装置２０と情報処理装置４０とが通信範囲内に存在することとなった場合、自動的に両装置間で近距離通信が確立されるようになる。
【００４４】
次に、情報処理装置４０において、噴霧装置２０を制御するアプリケーションプログラムが実行されると、情報処理装置４０のディスプレイ４０２上には、図３に示す初期設定画面が表示される。
【００４５】
図３から明らかな通り、情報処理装置４０は、筐体４０１と、筐体４０１の略中央に配置されタッチ入力を受け付けるディスプレイ４０２と、情報処理装置４０を操作する操作ボタン４０３と、ディスプレイ４０２と対面する像を撮像するインカメラ４０４と、電話音声その他の音声を出力するスピーカ４０５と、を有して構成されている。ディスプレイ４０２の最上部には、時刻を示す時刻表示部４０６と情報処理装置４０の充電状況を示す充電表示部４０７とが配置されている。また、初期設定画面の中央上部には「最適なドライビング環境をつくるため、ここで初期設定をしましょう」とのメッセージ表示部４０８が配置されており、メッセージ４０８を確認したユーザは、メッセージ表示部４０８の下に縦方向に一連に配置された複数の設定項目表示４０９を確認しつつ、それらと対応する設定入力部４１０へと適宜入力を行う。また、ディスプレイ４０２の最下部には、タッチ入力により選択可能な「マイドライブ」モード選択ボタン４１１、「リキッド」モード選択ボタン４１２、「ストア」モード選択ボタン４１３という３つのモード選択ボタンが配置されている。
【００４６】
ユーザは、ユーザの年齢、性別等を含む属性情報や、カフェイン含有水溶液２０７の濃度等に関する設問を表示する設定項目表示４０９を確認しつつ、対応する設定入力部４１０を介して入力操作を行う。まず、第１の設定項目表示４０９ａである「性別を入力してください」との表示を確認したユーザは、自身の性別を第１の設定入力部４１０ａへと入力する。図３にあっては、例として、女性が選択されている。また、第２の設定項目表示４０９ｂである「年齢を入力してください」との表示を確認したユーザは、自身の年齢を数値にて第２の設定入力部４１０ｂへと入力する。同図にあっては、例として、２５歳が選択されている。さらに、第３の設定項目表示４０９ｃである「現在妊娠していますか？」との表示を確認したユーザは、自身が妊娠しているかを第３の設定入力部４１０ｃへと入力する。同図にあっては、例として、妊娠中であることを示す「ＹＥＳ」が選択されている。なお、第３の設定項目表示４０９ｃと第３の設定入力部４１０ｃとはユーザが第１の設定入力部４１０ａにて女性を選択した場合にのみ表示されるよう構成されていてもよい。加えて、第４の設定項目表示４０９ｄである「同乗者に幼児はいますか？」との表示を確認したユーザは、同乗者に幼児が含まれるか否かを第４の設定入力部４１０ｄへと入力する。同図にあっては、同乗者に幼児が含まれていないことを示す「ＮＯ」が選択されている。第５の設定項目表示４０９ｅである「リキッドの濃度を入力してください」との表示を確認したユーザは、噴霧装置２０にて使用するカフェイン含有水溶液２０７の濃度を第５の設定入力部４１０ｅへと入力する。同図にあっては、例として、リキッド濃度として０．５ｍｇ／ｍｌが入力されている。以上のようにして、ユーザにより初期設定がなされる。なお、入力された情報は属性情報又は濃度情報として記憶部４２へと記憶され、後述する種々の動作時に利用される。
【００４７】
なお、マイドライブモードとは、情報処理装置４０のＧＰＳユニット４４を利用して取得された現在位置情報と、情報提供サーバ６０から供給された地図情報とを利用して、ディスプレイ４０２上に地図上における情報処理装置４０の現在位置を表示するモードである。また、リキッドモードとは、使用中のリキッド、すなわち、噴霧装置２０に収容されている水溶液の詳細について表示するモードである。さらに、ストアモードとは、インターネットを介してオンラインストアへと接続を行い、新たなリキッドの購入を行うモードである。
【００４８】
＜１．２．２  乗車時の動作＞
続いて、図４を参照しつつ、携帯型の情報処理装置４０を携帯したユーザが、噴霧装置２０が車内に配置された自動車１０に乗り込む際の動作について説明する。
【００４９】
まず、情報処理装置４０とペアリングを行った噴霧装置２０は、情報処理装置４０が通信範囲内に存在するか否かを常に検出している（Ｓ１０１）。通信範囲内に情報処理装置４０が存在しない場合には（Ｓ１０１ＮＯ）、所定の待機処理を行い（Ｓ１０２）、再度情報処理装置４０が通信範囲内に存在するか否かを検出する。携帯型の情報処理装置４０を携帯したユーザが、噴霧装置２０が車内に配置された自動車１０に近付くと、噴霧装置２０は、情報処理装置４０が通信範囲内にしたことを検出し（Ｓ１０２ＹＥＳ）、通信の確立処理を行う（Ｓ１０３）。この通信確立処理が終了すると、噴霧装置２０の制御部２１は、噴霧動作部２４へと噴霧開始指令を送り、噴霧開始処理を行う（Ｓ１０４）。これにより噴霧動作部２４が駆動され、ピエゾ素子２０３よりカフェイン含有水溶液２０７の噴霧が開始される。その後、所定の噴霧時間が経過するまで（Ｓ１０５ＮＯ）、噴霧動作部２４を動作させる噴霧処理が継続して行われる（Ｓ１０２）。所定の時間が経過した場合（Ｓ１０５ＹＥＳ）、噴霧を停止させる噴霧終了処理が行われる（Ｓ１０７）。
【００５０】
すなわち、以上の構成によれば、情報処理装置４０を携帯したユーザが、自動車１０に乗り込もうと自動車１０に接近すると、車内にはカフェイン含有水溶液２０７が噴霧されることとなる。これにより、ユーザは、自動車１０に乗り込んだ直後にカフェイン含有水溶液を吸入することができるので、運転開始後すぐに眠気防止又は眠気覚まし効果を得ることができ、安全運転を行うことができる。
【００５１】
＜１．２．３  走行時の動作＞
次に、図５〜図７を参照しつつ、自動車１０が走行している場合の安全運転支援システム１００の動作について説明する。なお、このとき、情報処理装置４０は、上述のマイドライブモードに設定されている。
【００５２】
初期状態において、噴霧装置２０は、噴霧指令を受信するまで待機状態となっており（Ｓ２０８ＮＯ）、一方、情報提供サーバ６０は、情報を要求するリクエストを受信するまで待機状態となっている（Ｓ２０２ＮＯ）。
【００５３】
この状態において、情報処理装置４０において処理が開始すると、情報処理装置４０は、まず、情報提供サーバ６０に対して、ＧＰＳユニット４４から読み出された情報処理装置４０の現在位置情報と、情報を要求するリクエストとが送信される（Ｓ２０１）。その後、情報提供サーバ６０より所望の情報を受信するまで情報処理装置４０は待機する（Ｓ２０４ＮＯ）。
【００５４】
情報提供サーバ６０は、現在位置情報と情報を要求するリクエストとを受信すると（Ｓ２０２ＹＥＳ）、地図情報記憶部６２１から読み出された現在位置周辺の地図情報と、事故多発地点情報や渋滞情報などの注意深い運転が必要な要注意運転領域情報とを、情報処理装置４０へと送信する（Ｓ２０３）。
【００５５】
情報処理装置４０は、現在位置周辺の地図情報と、要注意運転領域情報とを受信すると（Ｓ２０４ＹＥＳ）、進行方向上の直近の要注意運転領域への所要時間の計算を行う（Ｓ２０５）。より詳細には、まず、現在位置情報と地図情報と要注意運転領域情報とから、現在位置から直近の要注意運転領域までの距離を計算する。また、現在位置情報の履歴情報から情報処理装置４０（すなわち、自動車１０）の平均移動速度と移動方向とを計算する。その後、現在位置から直近の要注意運転領域までの距離と、平均移動速度とに基づいて、現在位置から要注意運転領域までの所要時間を計算する。なお、この所要時間は後述するように、ディスプレイ４０２上に表示される。この所要時間が、所定の基準時間（本実施形態においては１５分）より小さくなるまで（Ｓ２０６ＮＯ）、上述の処理が繰り返される。すなわち、進行方向上の直近の要注意運転領域への所要時間が１５分以下となるまで、情報処理装置４０は、上述の処理を繰り返す。なお、要注意運転領域への所要時間の計算方法は、上述の方法に限定されず、既知の種々の手法が利用可能である。また、本実施形態では、情報処理装置４０にて計算を行うものとしているが、情報提供サーバ６０において計算を行ってもよい。
【００５６】
図６は、直近の要注意運転領域までの所要時間が２０分、すなわち所要時間が所定の時間である１５分より大きい場合の、情報処理装置４０のディスプレイ４０２上の画面表示例について示している。同図において、図３と同一の構成については、同一の符号が用いられている。
【００５７】
ディスプレイ４０２の中央部には、取得した地図情報に基づいて周辺地図が描かれ、中央下部には、走行中の経路４１７上に、情報処理装置４０の現在位置（すなわち、自車位置）を示す円形の現在位置記号４１５が描かれている。なお、現在位置記号４１５の内部には、進行方向を示す矢印記号と噴霧装置２０により現在噴霧が行われていないことを示す「ＯＦＦ」との表示がなされている。すなわち、このような構成により、ユーザは、周辺地図と現在位置記号４１５とを確認することにより、自分が現在地図上のどの位置をどちらの方向に向かって走行しているかを確認することができる。また、現在位置記号４１５の内部の「ＯＦＦ」との記号を確認することにより噴霧が行われていない旨を確認することができる。
【００５８】
ディスプレイ４０２の上部には、算出された所要時間を表示する所要時間表示領域４１８が設けられ、「２０分後に通過します」との文章が表示がなされている。また、経路４１７上であって情報処理装置４０がこれから通過する位置には、エクスクラメーションマークから成り、注意深い運転が必要な要注意運転領域を示す注意記号４１６が表示されている。すなわち、このような構成により、ユーザは、２０分後に、注意深い運転が必要な要注意運転領域を通過するであろうことを把握することができる。
【００５９】
図５に戻り、所要時間が所定の時間（本実施形態においては１５分）より小さくなった場合（Ｓ２０６ＹＥＳ）、情報処理装置４０は、噴霧装置２０に対して噴霧時間等を含み得る所定の噴霧指令を行う（Ｓ２０７）。この噴霧指令を受信すると（Ｓ２０８ＹＥＳ）、噴霧装置２０は、噴霧指令に基づいて、噴霧動作部２４を介してピエゾ素子２０３を動作させ、所定時間、カフェイン含有水溶液２０７を車内に噴霧する噴霧処理を行う（Ｓ２０９）。すなわち、要注意運転領域までの所要時間が１５分より小さくなった場合に、噴霧装置２０からはカフェイン含有水溶液２０７が噴霧されることとなる。なお、このときの噴霧装置２０による噴霧時間は任意に決定することができるが、例えば１０分程度であってもよい。
【００６０】
図７は、噴霧装置２０により噴霧が行われているときの各種装置の画面表示例である。同図において、図３と同一の構成については、同一の符号が用いられている。
【００６１】
図７（ａ）は、要注意運転領域までの所要時間が１５分となった場合の情報処理装置４０のディスプレイ４０２上の画面表示例について示している。図７（ａ）から明らかな通り、図６の表示に加えて、ディスプレイ４０２上には、所要時間表示領域４１８の上に、注意を促す注意情報表示領域４１９が設けられ、「事故多発地域へ接近中  安全に注意して、運転してください」との文章が表示される。また、走行中の経路４１７上には、１５分後に減速すべきことを示す「１５ｍｉｎ  ｓｌｏｗｅｒ」との速度注意表示４２０が重畳される。さらに、現在位置記号４１５の内部には「ＯＮ」との表示がなされ、これにより噴霧装置２０により噴霧がなされていることが確認される。すなわち、このような構成によれば、ユーザは、１５分後に要注意運転領域へと到達することが見込まれること、及び、噴霧装置２０により噴霧が行われていることを確認することができる。
【００６２】
また、噴霧装置２０により噴霧が行われたことは、情報処理装置４０が待機状態の場合であっても確認される。図７（ｂ）は、情報処理装置４０が待機状態にある場合のディスプレイ４０２の画面表示例である。待機状態において、ディスプレイ４０２の上部には年月日と時刻を示す時刻表示領域４２１が設けられ、ディスプレイ４０２の下部には、スライドさせることによりロック解除することが可能なスライドロック表示領域４２２が設けられている。また、ディスプレイ４０２の時刻表示領域４２１の下方には、各種情報を通知する情報通知領域４２５が設けられ、当該情報通知領域４２５には、「Ｓｃｅｎｔ  Ｍｅｄｉｃａｌ  ５分前  事故エリアに接近中のため、起動しました。  スライドで表示」との表示がなされている。この表示は、「Ｓｃｅｎｔ  Ｍｅｄｉｃａｌ」という名前のアプリケーションプログラムがバックグラウンドで実行されていることを示し、情報処理装置４０が、事故多発地域へと接近したため、５分前に噴霧を行ったこと、或は、開始したことを通知している。すなわち、このような構成によれば、無臭のカフェイン含有水溶液２０７が噴霧されている場合であっても、確実に噴霧の有無を確認することができる。
【００６３】
さらに、情報処理装置４０は、さらに、手首に装着可能な腕時計型のウェアラブル端末８０と、Ｂｌｕｅｔｏｏｔｈ（登録商標）等を介して接続されていてもよい。このとき、噴霧装置２０により噴霧が行われると、情報処理装置４０を介してウェアラブル端末８０には、所定の通知がなされる。
【００６４】
図７（ｃ）は、噴霧が行われた場合のウェアラブル端末８０の画面表示例について示している。ウェアラブル端末８０は、本体８０１とバンド８０４とから成り、本体８０１には、表示部８０２と各種の操作ボタン８０３ａ〜８０３ｃが備えられている。表示部８０２には、「ＡＴＴＥＮＴＩＯＮ  １５ｍｉｎ  ＡＣＣＩＤＥＮＴ  ＳＩＴＥ」との表示がなされており、これは、１５分後に事故多発地域へと到達することが見込まれること、及び、噴霧装置２０による噴霧が行われたことを意味している。
【００６５】
以上の構成によれば、無臭のカフェイン含有水溶液２０７が噴霧されている場合であっても、確実に噴霧の有無を確認することができる。また、腕時計型のウェアラブル端末８０であるので、ハンドルの位置近傍で噴霧の有無を確認することができ、これにより、前方から殆ど視線を逸らすことなく容易に噴霧が行われたか否かを確認することができる。
【００６６】
また、運転者は、要注意運転領域に到達する十分に前からカフェイン含有水溶液２０７を吸入することができるので、事故多発地域等の要注意運転領域においてより確実に眠気のない状態で運転することができる。これにより、ユーザは安全運転を行うことができる。なお、このような構成は、発明者がカフェイン含有水溶液２０７を吸入してから、運転者に実際に眠気防止又は眠気覚まし効果が表れるまでに所定の時間を要することを発見したことに基づくものである。
【００６７】
＜２．変形例＞
＜２．１  設定情報との連動＞
上述の実施形態においては、乗車時、又は要注意運転領域の所定時間前に常に噴霧を行う構成としたが、本発明はこのような構成に限定されない。従って、例えば、ユーザにより入力され、記憶部４２へと記憶されたユーザの属性情報及び／又はカフェイン含有水溶液の濃度情報に応じて、噴霧装置２０による噴霧のキャンセル又は無効化を行ってもよい。
【００６８】
例えば、妊娠中の女性のカフェイン摂取は、胎児に悪影響であることが一般に知られている。そのため、ユーザが初期設定の第３の設定入力部４１０ｃにおいて、妊娠していることを選択した場合には、噴霧装置２０による噴霧が行われないように構成してもよい。この場合、情報処理装置４０は、噴霧装置２０からの噴霧が行われないよう、噴霧指令を行わないか又はその噴霧指令をキャンセル又は無効化するよう構成される。
【００６９】
このような構成によれば、カフェイン摂取が好ましくない属性を有するユーザに対しては、カフェイン含有水溶液２０７の噴霧を行わないので、ユーザに優しい安全運転支援システムを提供することができる。
【００７０】
また、カフェインは幼児を興奮状態とさせてしまうことがあり、睡眠が必要な幼児にとってはカフェイン摂取が好ましくない場合がある。そのため、ユーザが初期設定の設定入力部４１０ｄにおいて、同乗者に幼児がいることを選択した場合には、噴霧装置２０による噴霧が行われないように構成してもよい。この場合、情報処理装置４０は、噴霧装置２０からの噴霧が行われないよう、噴霧指令を行わないか又はその噴霧指令をキャンセル又は無効化するよう構成される。
【００７１】
このような構成によれば、カフェイン摂取が好ましくない属性を有する同乗者がいる場合には、カフェイン含有水溶液２０７の噴霧を行わないので、ユーザばかりでなく同乗者に対しても優しい安全運転支援システムを提供することができる。
【００７２】
さらに、一日のカフェイン摂取量の上限は、年齢、性別等に応じて異なることが知られている。そのため、第１の設定入力部４１０ａで入力された性別と、第２の設定入力部４１０ｂで入力された年齢とに対応するカフェイン摂取上限値のテーブルを予め記憶しておき、噴霧装置２０によるカフェインの噴霧総量が、対応するカフェイン摂取上限値を超えた場合には、噴霧装置２０による噴霧が行われないように構成してもよい。なお、カフェインの噴霧総量は、第５の設定入力部４１０ｅで入力されたカフェイン含有水溶液２０７の濃度と、噴霧装置２０の単位時間当たりの噴霧量、噴霧時間とに基づいて計算可能である。例として、成人男性のカフェイン摂取量の上限は、体重等により異なるものの、１日およそ１００〜３００ｍｇと考えられており、このとき上限値は安全を見て１００ｍｇに設定される。また、上述の実施形態において、カフェイン含有水溶液のカフェイン濃度は０．５ｍｇ／ｍｌであり、単位時間当たりの噴霧量は５０ｍｌ／ｈであるとする。そうすると、１時間当たりのカフェイン噴霧量は２５ｍｇとなり、４時間でカフェイン摂取の上限値である１００ｍｇとなるので、たとえユーザが長時間運転を行う場合であっても、合わせて４時間以上の噴霧が行われた後は、それ以上噴霧装置２０による噴霧は行われないこととなる。すなわち、この場合、情報処理装置４０は、噴霧装置２０からの噴霧が行われないよう、噴霧指令を行わないか又はその噴霧指令をキャンセル又は無効化するよう構成される。
【００７３】
このような構成によれば、噴霧装置２０による噴霧により、必要に応じて運転者の眠気防止又は眠気覚ましを行いつつも、カフェインの過剰摂取を防止することができる。
【００７４】
＜２．２  濃度に応じた噴霧＞
上述の実施形態においては、噴霧装置２０による噴霧は、要注意運転領域までの所要時間が１５分より小さくなった場合に、単に所定の時間（１０分間）行うこととしているが、本発明はこのような構成に限定されない。従って、例えば、カフェイン含有水溶液２０７の濃度に応じて、噴霧時間や噴霧態様を変更してもよい。
【００７５】
図８を参照しつつ、噴霧処理のバリエーションについて説明する。同図には、実線にて経路が描かれ、当該移動経路上に、地点Ｘを移動中であって同図の右上方向に移動している自動車内の情報処理装置４０と、事故多発地域等の要注意運転領域Ａが示されている。地点Ａ'は、要注意運転領域Ａまでの所要時間が基準時間（例えば、１５分）となる地点を示している。
【００７６】
Ａ−Ａ'区間には、それと平行にＡ−Ａ'区間と略同一の長さのＢ−Ｂ'区間、Ｂ−Ｂ'区間よりも短いＣ−Ｃ'区間とが示されており、各始点（Ｂ、Ｃ）と各終点（Ｂ'、Ｃ'）の間はそれぞれ破線で結ばれている。Ｂ−Ｂ'区間の破線は、カフェイン含有水溶液２０７の濃度が０．２ｍｇ／ｍｌの場合の噴霧期間、すなわち１５分間の噴霧期間を示し、Ｃ−Ｃ'区間の破線は、カフェイン含有水溶液２０７の濃度が１．０ｍｇ／ｍｌの場合の噴霧期間、すなわち、３分間の噴霧期間を示している。このような噴霧期間は、カフェイン含有水溶液２０７の濃度に応じて決定され、カフェイン含有水溶液２０７の濃度が高い程噴霧期間が短くなるよう設定される。
【００７７】
このような構成によれば、眠気防止又は眠気覚まし効果のより高い高濃度の噴霧が行われる場合には、必要以上に噴霧を行わないので、カフェイン含有水溶液２０７の消費量を節約することができる。
【００７８】
なお、本例においては、濃度が１．０ｍｇ／ｍｌの場合の噴霧開始地点Ｃが地点Ａ'より後ろの地点として描かれているが、Ａ'地点と同一であってもよい。また、濃度が１．０ｍｇ／ｍｌの場合の噴霧の終点Ｃ'が地点Ａと一致してもよい。
【００７９】
さらに、本例ではカフェインの総噴霧量が一定となるように、噴霧期間を定めているものの、カフェイン含有水溶液２０７の濃度が高い程、噴霧期間が短くなるよう設定されていれば、総噴霧量が一定でなくてもよい。
【００８０】
＜２．３  ナビゲーション機能＞
上述の実施形態においては、アプリケーションプログラムが、地図上における情報処理装置４０の現在位置を確認することができるマイドライブモードを含むものとしたが、本発明はこのような構成に限定されない。従って、例えば、マイドライブモードが、地図上の現在位置の提供のみならず、さらに、ナビゲーション機能も提供するものであってもよい。
【００８１】
情報提供サーバ６０は、バスに接続され、現在位置と目的地とが提供されるとその間の最短距離経路又は最短時間経路を探索する、図示しない経路探索部６４をさらに備える。ユーザが、情報処理装置４０へと目的地を入力すると、情報提供サーバ６０から経路探索部６４の探索結果に基づいて、最短距離経路又は最短時間経路のいずれか又は両方が提供され、情報処理装置４０を用いて経路案内が行われる。このとき、情報提供サーバ６０からは、最短距離経路又は最短時間経路上の要注意運転領域のみが提供される。
【００８２】
以上の構成によれば、ユーザは、目的地までの経路上にある要注意運転領域に到達する基準時間前に眠気防止又は眠気覚まし効果を有するカフェイン含有水溶液２０７を吸入することができるので、安全運転を行うことができる。また、経路が定まっていることから無駄な噴霧がなく、カフェイン含有水溶液２０７の消費量を節約することができる。
【００８３】
なお、ナビゲーション機能を利用する場合には、要注意運転領域に、さらに、上記目的地が含まれてもよく、目的地或はその周辺において眠気防止又は眠気覚まし効果が表れるよう予め所定時間前に噴霧装置２０により噴霧が行われてもよい。これは、一般に駐車場では事故が起きやすい傾向があるところ、自動車等の目的地は往々にして駐車場であるので、当該目的地たる駐車場において、確実に運転者の眠気防止又は眠気覚ましを行うためである。
【００８４】
＜３．第２の実施形態＞
第１の実施形態においては、情報提供サーバ６０から事故多発地域や渋滞地域などの要注意運転領域を受信する構成とした。しかしながら、渋滞地域のように注意深い運転が必要な領域であるにも拘わらず、何らかの理由により、情報提供サーバ６０に当該渋滞情報が適切に要注意運転領域として記憶されていない場合も想定し得る。そこで、本実施形態では、情報処理装置４０の挙動のみに応じて、カフェイン含有水溶液２０７の噴霧を行う構成について説明する。
【００８５】
記憶部４２は、ＧＰＳユニット４４により所定の周期で取得された現在から所定の過去までの現在位置情報の履歴を記憶し、制御部４１は、当該現在位置情報の履歴から、移動平均等の所定の手法により、所定の過去分の平均移動速度を算出する。次に、制御部４１は、算出した移動平均速度を所定の基準速度（例えば、時速１５ｋｍなど）と比較し、移動平均速度が所定の基準速度以下であると判定されると、噴霧装置２０に対して噴霧指令を行う。同噴霧指令を受信した噴霧装置２０は、第１の実施形態と同様にカフェイン含有水溶液２０７の噴霧を行う（Ｓ２０８〜Ｓ２０９）。すなわち、ＧＰＳを用いて取得した平均移動速度が所定の速度以下であると判定された場合、情報処理装置４０を含む自動車が渋滞の中にいると判断し、眠気の発生を予め防止するため、カフェイン含有水溶液２０７の噴霧がなされる。
【００８６】
以上のような構成によれば、情報処理装置４０に備えられたＧＰＳユニット４４からの情報に基づいて渋滞判定を行うことができ、それにより噴霧装置２０により眠気防止又は眠気覚まし効果を有するカフェイン含有水溶液の噴霧を行うことができる。そのため、渋滞地域のように注意深い運転が必要な領域であるにも拘わらず、何らかの理由により、情報提供サーバ６０に当該渋滞情報が適切に要注意運転領域として記憶されていない場合であっても、適切に眠気防止又は眠気覚ましを行うことができる。
【産業上の利用可能性】
【００８７】
本発明によれば、安全運転支援システムを提供することができ、例えば、車載機器の分野において利用可能である。
【符号の説明】
【００８８】
１０  自動車
１１  運転席
１２  助手席
１３ａ  ドリンクホルダ部
１３ｂ  ドリンクホルダ部
１４  シガーソケット用のプラグ
２０  噴霧装置
２０１  円筒部
２０２  噴霧動作部格納筐体
２０３  ピエゾ素子
２０４  動作ランプ
２０５  液体収容部  
２０６  水分保持体
２０７  カフェイン含有水溶液
２０８  切り欠き部
２０９  くびれ状円筒領域
２１０  電源供給線
２１  制御部
２２  記憶部
２３  短距離通信部
２４  噴霧動作部
４０  情報処理装置
４０１  筐体
４０２  ディスプレイ
４０３  操作ボタン
４０４  インカメラ
４０５  スピーカ
４０６  時刻表示部
４０７  充電表示部
４０８  メッセージ表示部
４０９  設定項目表示
４０９ａ  第１の設定項目表示
４０９ｂ  第２の設定項目表示
４０９ｃ  第３の設定項目表示
４０９ｄ  第４の設定項目表示
４０９ｅ  第５の設定項目表示
４１０  設定入力部
４１０ａ  第１の設定入力部
４１０ｂ  第２の設定入力部
４１０ｃ  第３の設定入力部
４１０ｄ  第４の設定入力部
４１０ｅ  第５の設定入力部
４１１  「マイドライブ」モード選択ボタン
４１２  「リキッド」モード選択ボタン
４１３  「ストア」モード選択ボタン
４１５  現在位置記号
４１６  注意記号
４１７  走行中の経路
４１８  所要時間表示領域
４１９  注意情報表示領域
４２０  速度注意表示
４２１  時刻表示領域
４２２  スライドロック表示領域
４２５  情報通知領域
４１  制御部
４２  記憶部
４３  短距離通信部
４４  ＧＰＳユニット
４５  無線通信部
６０  情報提供サーバ
６１  制御部
６２  記憶部
６２１  地図情報記憶部
６２２  要注意運転領域情報記憶部
６３  通信部
８０  ウェアラブル端末
８０１  本体
８０２  表示部
８０３ａ  操作ボタン
８０３ｂ  操作ボタン
８０３ｃ  操作ボタン
８０４  バンド
１００  安全運転支援システム
【図１】
2018005348.tif 000003
【図２】
2018005348.tif 000004
【図３】
2018005348.tif 000005
【図４】
2018005348.tif 000006
【図５】
2018005348.tif 000007
【図６】
2018005348.tif 000008
【図７】
2018005348.tif 000009
【図８】
2018005348.tif 000010
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
移動体の運転席近傍に安定的に配置可能な形状を有し、前記移動体内において噴霧を行う噴霧装置と、
前記噴霧装置と近接通信可能に構成され、ＧＰＳを利用して現在位置情報を取得可能な携帯型の情報処理装置と、
前記情報処理装置へとインターネットを介して情報提供を行う情報提供サーバと、を含む安全運転支援システムであって、
前記噴霧装置は、
カフェイン含有水溶液を収容した水溶液収容部と、
前記水溶液収容部に収容されたカフェイン含有水溶液を噴霧する噴霧動作部と、を有し、
近接通信が確立した前記情報処理装置からの噴霧指令に基づいて、前記噴霧動作部を作動させ、前記移動体内に噴霧を行うよう構成され、
前記情報提供サーバは、
地図情報を記憶した地図情報記憶部と、
注意深い運転が要求される要注意領域を示す要注意領域情報を記憶した要注意領域記憶部と、を有し、
前記情報処理装置からのリクエストに応じて、前記情報処理装置へと、前記地図情報と前記要注意領域情報とを各々送信するよう構成され、
前記情報処理装置は、前記情報提供サーバへとリクエストを行うことにより、前記情報提供サーバから前記地図情報と前記要注意領域情報とを取得し、前記情報提供サーバから取得した前記地図情報及び前記要注意領域情報と、前記現在位置情報とに基づいて、前記要注意領域への所要時間を算出し、前記所要時間が基準時間より小さいと判定された場合には、前記噴霧装置へと噴霧指令を行い、
前記噴霧装置は、前記噴霧指令に基づいて、前記噴霧動作部を作動させ、前記カフェイン含有水溶液を前記移動体内に噴霧し、
前記安全運転支援システムは、前記情報処理装置と近接通信可能であって、かつ表示部を有する腕時計型のウェアラブル端末をさらに含み、
前記情報処理装置において前記噴霧装置へと噴霧指令が行われると、前記ウェアラブル端末の前記表示部には、噴霧が行われたことを示す表示がなされ、
前記噴霧装置と前記情報処理装置との間の近接通信は、初期設定としてペアリング処理を要し、一旦前記ペアリング処理がなされた後は、前記噴霧装置と前記情報処理装置とが通信可能距離内にある場合に自動的に近接通信を確立するよう構成され、
前記噴霧装置は、前記自動的な近接通信の確立後、直ちに噴霧を行い、
前記情報処理装置は、さらに、ユーザ又は同乗者の属性情報を含む設定情報を取得するよう構成され、
取得した前記設定情報に応じて、前記噴霧装置による前記カフェイン含有水溶液の噴霧を制御する、安全運転支援システム。
【請求項２】
前記情報提供サーバは、
前記情報処理装置から現在位置情報と目的地情報とが与えられた場合に、前記現在位置情報に係る現在位置と前記目的地情報に係る目的地との間の最短距離経路又は最短時間経路を探索し、前記最短距離経路又は前記最短時間経路に関する経路情報を前記情報処理装置へと提供する経路探索部をさらに含み、
前記情報処理装置に対して、前記最短距離経路又は前記最短時間経路上の要注意領域情報を提供し、
前記情報処理装置は、前記情報提供サーバから取得した前記地図情報及び前記経路情報と、前記現在位置情報とに基づいて、ナビゲーション機能を提供すると共に、前記情報提供サーバから取得した前記地図情報及び前記経路情報と、前記最短距離経路又は前記最短時間経路上の前記要注意領域情報と、前記現在位置情報とに基づいて、前記最短距離経路又は前記最短時間経路上の要注意領域への所要時間を算出する、請求項１に記載の安全運転支援システム。
【請求項３】
前記設定情報には、さらに、カフェイン含有水溶液の濃度情報が含まれ、前記カフェイン含有水溶液の濃度が大きい程、前記噴霧装置による前記カフェイン含有水溶液の噴霧時間が短くなる、請求項２に記載の安全運転支援システム。
【請求項４】
前記情報処理装置は、前記噴霧装置へと噴霧指令を行う度に、前記カフェイン含有水溶液の噴霧量を積算し、前記積算結果と前記濃度情報とに基づいて計算された、カフェイン含有水溶液中のカフェイン成分の総噴霧量が、前記設定情報に応じた所定の値以上となった場合に、前記噴霧装置による前記カフェイン含有水溶液の噴霧を行わないようにする、請求項３に記載の安全運転支援システム。
【請求項５】
前記カフェイン含有水溶液は無臭である、請求項４に記載の安全運転支援システム。